(57)【要約】【課題】  四種類のメモリカードと電気装置の電気回路の接続を形成できるフォーインワン型メモリカードコネクタの提供。【解決手段】  本考案のカードアダプタは、本体にメモリカードを挿入するための単一スロットが設けられ、スロット中に各種形式のメモリカードと電気装置の電気回路を構成するための複数組の接続端子が設けられ、該スロットの内側にＳＤ、ＭＭＣ形式のメモリカードを位置決めできる第１位置決め部と、ＲＳＭＭＣ、ｍｉｎｉＳＤ形式のメモリカードを位置決めできる第２位置決め部が設けられ、ＳＤ、ＭＭＣ、ＲＳＭＭＣ、ｍｉｎｉＳＤの四種類のメモリカードと電気装置の電気回路の接続を形成できるフォーインワン型メモリカードコネクタである。【選択図】        図１
0003105841.tif 000002
【実用新案登録請求の範囲】
【請求項１】
本体にメモリカードを挿入するためのスロットが設けられ、スロット中に複数組の接続端子が設けられたフォーインワン型メモリカードコネクタにおいて、
該スロットの内側にＳＤ、ＭＭＣ形式のメモリカードを位置決めできる第１位置決め部と、ＲＳＭＭＣ、ｍｉｎｉＳＤ形式のメモリカードを位置決めできる第２位置決め部が設けられ、ＳＤ、ＭＭＣ、ＲＳＭＭＣ、ｍｉｎｉＳＤの四種類のメモリカードと電気装置の電気回路の接続を形成できることを特徴とする、フォーインワン型メモリカードコネクタ。
【請求項２】
請求項１記載のフォーインワン型メモリカードコネクタにおいて、スロットの内側にＳＤ、ＭＭＣメモリカードを係止する第１位置決め弾性片が設けられ、該第１位置決め弾性片に湾曲部が設けられて該湾曲部がＳＤ、ＭＭＣメモリカードの側辺の位置決め凹部に係合可能とされたことを特徴とする、フォーインワン型メモリカードコネクタ。
【請求項３】
請求項１記載のフォーインワン型メモリカードコネクタにおいて、スロットの内側にＲＳＭＭＣ、ｍｉｎｉＳＤメモリカードを係止する第２位置決め弾性片が設けられ、該第２位置決め弾性片に湾曲部が設けられて該湾曲部がＲＳＭＭＣ、ｍｉｎｉＳＤメモリカードの側辺の位置決め凹部に係合可能とされたことを特徴とする、フォーインワン型メモリカードコネクタ。
【請求項４】
請求項１記載のフォーインワン型メモリカードコネクタにおいて、本体の底部に連接片が設けられ、該連接片がメモリカードコネクタの本体と電気装置の結合に供されることを特徴とする、フォーインワン型メモリカードコネクタ。
【請求項５】
請求項１記載のフォーインワン型メモリカードコネクタにおいて、本体にスロットに進入する案内弾性片が設けられ、該案内弾性片がＲＳＭＭＣ、ｍｉｎｉＳＤメモリカードを案内することで確実な挿入、位置決めが形成されることを特徴とする、フォーインワン型メモリカードコネクタ。
【請求項６】
請求項１記載のフォーインワン型メモリカードコネクタにおいて、本体にスロット底部に沿って延伸された第１接続端子セットが設けられ、スロット上部に沿って延伸された第２接続端子セットが設けられたことを特徴とする、フォーインワン型メモリカードコネクタ。
【考案の詳細な説明】
【技術分野】
【０００１】
本考案は一種のメモリカードコネクタに係り、特に、ＳＤ、ＭＭＣ、ＲＳＭＭＣ、ｍｉｎｉＳＤの四種類のメモリカードと電気装置の電気回路の接続を形成できるフォーインワン型メモリカードコネクタに関する。
【背景技術】
【０００２】
近年、フラッシュメモリカード（或いはメモリカードと称される）形式の保存媒体が、軽量、薄型、コンパクト、高保存容量、耐震、重複記憶可能等の優れた特性により、広く情報家電、パーソナルコンピュータ或いは携帯式デジタル製品に運用されるようになった。
【０００３】
一般にメモリカードを保存媒体とする電気装置（例えばデジタルカメラ、ＰＤＡ、デジタルオーディオプレイヤー）等は基本的に特定形式のメモリカードを記憶媒体として採用しており、現在よく見られるメモリカード形式には、ＣＦ、ＳＭ、ＭＳ、ＳＤ、ＭＭＣ、ＲＳＭＭＣ等がある。さらに市場には携帯電話専用に開発されたｍｉｎｉＳＤメモリカードもある。
【０００４】
消費者にとっては、メモリカードが携帯式デジタル製品とコンピュータシステム、コンピュータ周辺機器等の電気装置の間で有効な流通を達成できず、商品選択上の制限を形成する。このため、一部のメモリカードメーカーはメモリカード規格に相容性があって且つサイズがやや小さいメモリカードを提供して体積が小さい携帯式デジタル電気装置で使用できるようにしている。例えばＳＤ、ＭＭＣは外形サイズが同じメモリカードであり、ＲＳＭＭＣメモリカードのチップ、回路規格はＭＭＣメモリカードと同じであるが、外形サイズがＭＭＣよりやや小さく、同様にｍｉｎｉＳＤメモリカードのチップ、回路規格はＳＤメモリカードと同じであるが、外形サイズがＳＤメモリカードよりやや小さい。
【０００５】
ＲＳＭＭＣ、ｍｉｎｉＳＤメモリカードの外形は前述のＭＭＣ、ＳＤの二種類のメモリカードとやや異なり、現在の既存の技術では、ＳＤ、ＭＭＣ、ＲＳＭＭＣ、ｍｉｎｉＳＤの４種類の形式のメモリカード共用のメモリカードコネクタはなく、アダプタカードを使用しなければＲＳＭＭＣ、ｍｉｎｉＳＤメモリカードを推奨できず、依然として相容性の条件制限がある。
【考案の開示】
【考案が解決しようとする課題】
【０００６】
本考案は一種のフォーインワン型メモリカードコネクタを提供することを目的とし、それは、本体にメモリカード挿入用のスロットが設けられ、該スロット中に複数組の接続端子が設けられ、各形式のメモリカードと電気回路の接続を形成できるものとする。
【課題を解決するための手段】
【０００７】
請求項１の考案は、本体にメモリカードを挿入するためのスロットが設けられ、スロット中に複数組の接続端子が設けられたフォーインワン型メモリカードコネクタにおいて、  該スロットの内側にＳＤ、ＭＭＣ形式のメモリカードを位置決めできる第１位置決め部と、ＲＳＭＭＣ、ｍｉｎｉＳＤ形式のメモリカードを位置決めできる第２位置決め部が設けられ、ＳＤ、ＭＭＣ、ＲＳＭＭＣ、ｍｉｎｉＳＤの四種類のメモリカードと電気装置の電気回路の接続を形成できることを特徴とする、フォーインワン型メモリカードコネクタとしている。
請求項２の考案は、請求項１記載のフォーインワン型メモリカードコネクタにおいて、スロットの内側にＳＤ、ＭＭＣメモリカードを係止する第１位置決め弾性片が設けられ、該第１位置決め弾性片に湾曲部が設けられて該湾曲部がＳＤ、ＭＭＣメモリカードの側辺の位置決め凹部に係合可能とされたことを特徴とする、フォーインワン型メモリカードコネクタとしている。
請求項３の考案は、請求項１記載のフォーインワン型メモリカードコネクタにおいて、スロットの内側にＲＳＭＭＣ、ｍｉｎｉＳＤメモリカードを係止する第２位置決め弾性片が設けられ、該第２位置決め弾性片に湾曲部が設けられて該湾曲部がＲＳＭＭＣ、ｍｉｎｉＳＤメモリカードの側辺の位置決め凹部に係合可能とされたことを特徴とする、フォーインワン型メモリカードコネクタとしている。
請求項４の考案は、請求項１記載のフォーインワン型メモリカードコネクタにおいて、本体の底部に連接片が設けられ、該連接片がメモリカードコネクタの本体と電気装置の結合に供されることを特徴とする、フォーインワン型メモリカードコネクタとしている。
請求項５の考案は、請求項１記載のフォーインワン型メモリカードコネクタにおいて、本体にスロットに進入する案内弾性片が設けられ、該案内弾性片がＲＳＭＭＣ、ｍｉｎｉＳＤメモリカードを案内することで確実な挿入、位置決めが形成されることを特徴とする、フォーインワン型メモリカードコネクタとしている。
請求項６の考案は、請求項１記載のフォーインワン型メモリカードコネクタにおいて、本体にスロット底部に沿って延伸された第１接続端子セットが設けられ、スロット上部に沿って延伸された第２接続端子セットが設けられたことを特徴とする、フォーインワン型メモリカードコネクタとしている。
【考案の効果】
【０００８】
本考案はＳＤ、ＭＭＣ、ＲＳＭＭＣ、ｍｉｎｉＳＤ形式のメモリカードと電気装置との回路の接続を形成するフォーインワン型メモリカードコネクタであり、実施時には、直接電気装置の回路にビルトインされうるほか、電気装置に外接使用されるカードアダプタとされ得る。ゆえに、大幅に電気装置とＳＤ、ＭＭＣ、ＲＳＭＭＣ、ｍｉｎｉＳＤメモリカードとの接続の適用性と便利性を増すことができ、全体の電気装置の付加機能を増すことができる。
【考案を実施するための最良の形態】
【０００９】
本考案のカードアダプタは、本体にメモリカードを挿入するための単一スロットが設けられ、スロット中に各種形式のメモリカードと電気装置の電気回路を構成するための複数組の接続端子が設けられ、該スロットの内側にＳＤ、ＭＭＣ形式のメモリカードを位置決めできる第１位置決め部と、ＲＳＭＭＣ、ｍｉｎｉＳＤ形式のメモリカードを位置決めできる第２位置決め部が設けられ、このほか、第１、第２位置決め部にあってＳＤ、ＭＭＣメモリカードを係止する第１位置決め弾性片と、ＲＳＭＭＣ、ｍｉｎｉＳＤを係止する第２位置決め弾性片が設けられ、ＳＤ、ＭＭＣ、ＲＳＭＭＣ、ｍｉｎｉＳＤの四種類のメモリカードと電気装置の電気回路の接続を形成できるフォーインワン型メモリカードコネクタである。
【実施例１】
【００１０】
本考案のフォーインワン型メモリカードコネクタの基本構造は図１及び図２に示されるとおりである。コネクタ１０は、カートリッジ状の本体１１を具え、該本体１１にメモリカードの挿入、位置決めに供されるスロット１２が設けられ、並びにスロット１２中にメモリカードと電気回路との接続を形成するための複数組の接続端子が設けられている。また、本体１１の底部に連接片１５が設けられ、本体１１がこの連接片１５により半田付け或いは接着の方式で電気装置（図示せず）と結合される。
【００１１】
本考案のフォーインワン型メモリカードコネクタは、ＳＤ、ＭＭＣ、ＲＳＭＭＣ、ｍｉｎｉＳＤのメモリカードと電気装置の回路との接続を形成する。このため、コネクタ１０のスロット１２の内側に、ＳＤ、ＭＭＣメモリカードを位置決めするための第１位置決め部１２１と、ＲＳＭＭＣ、ｍｉｎｉＳＤメモリカードを位置決めするための第２位置決め部１２２が設けられている。本実施例では、本体１１にあってスロット１２の底部に沿って第１接続端子セット１３１が延伸され、スロット１２の上部に沿って第２接続端子セット１３２が延伸され、第１接続端子セット１３１はＳＤ、ＭＭＣメモリカードとコネクタ１０の回路を接続し、第２接続端子セット１３２はＲＳＭＭＣ、ｍｉｎｉＳＤメモリカードとコネクタ１０の回路を接続する。
【００１２】
このほか、スロット１２の内側にＳＤ、ＭＭＣメモリカードを係止する第１位置決め弾性片１４１と、ＲＳＭＭＣ、ｍｉｎｉＳＤメモリカードを係止する第２位置決め弾性片１４２が設けられ、第１、第２位置決め弾性片１４１、１４２はそれぞれ湾曲部１４３を具え、各湾曲部１４３がＳＤ、ＭＭＣメモリカード或いはＲＳＭＭＣ、ｍｉｎｉＳＤメモリカードの側辺の位置決め凹部に係合する。また、本体１１に別にスロット１２に進入する案内弾性片１６が設けられ、案内弾性片１６の補助によりＲＳＭＭＣ、ｍｉｎｉＳＤメモリカード２２が確実に挿入され位置決めされる。
【００１３】
図３、４には、ＳＤメモリカード２１を以てＳＤ、ＭＭＣメモリカードとコネクタ１０の挿嵌使用状態が示され、ＳＤメモリカード２１（或いは同じ外形のＭＭＣメモリカード）はコネクタ１０の正面より本体１１のスロット１２中に挿入され、このとき、案内弾性片１６が本体１１の上方に向けてやや起こされ、ＳＤメモリカードの抜き差し動作に影響を与えず、ＳＤメモリカード２１はスロット１２内側の第１位置決め部１２１の制限及び案内作用により、その電気回路の接点が第１接続端子セット１３１と確実に接触し、並びに第１位置決め弾性片１４１の湾曲部１４３がＳＤメモリカード２１側辺の位置決め凹部２３に係合し、ＳＤメモリカード２１の任意の移動が防止され、これにより電気回路の接続の安定が維持される。
【００１４】
コネクタにＲＳＭＭＣ或いはｍｉｎｉＳＤメモリカードが挿入され使用される時、図５及び図６に示されるように、ｍｉｎｉＳＤメモリカード２２（或いはＲＳＭＭＣメモリカード）が正面より本体１１のスロット１２中に挿入され、スロット１２内側の第２位置決め部１２２及び案内弾性片１６の制限及び案内作用により、確実に位置決めされ、その回路接点が確実に第２接続端子セット１３２と接触する（図７参照）。並びに第２接続端子セット１３２の湾曲部１４３がｍｉｎｉＳＤメモリカード２２の側辺の位置決め凹部２３中に嵌合し、ｍｉｎｉＳＤメモリカード２２の任意の移動を防止し、これにより回路接続の安定を維持する。
【００１５】
こうしてＳＤ、ＭＭＣ及びＲＳＭＭＣ、ｍｉｎｉＳＤ形式のメモリカードと電気装置の回路の接続を構成できるフォーインワン型メモリカードコネクタが構成される。その実施時には、直接電気装置の回路にビルトインされうるほか、電気装置に外接使用されるカードアダプタとされ得る。ゆえに、大幅に電気装置とＳＤ、ＭＭＣ、ＲＳＭＭＣ、ｍｉｎｉＳＤメモリカードとの接続の適用性と便利性を増すことができ、全体の電気装置の付加機能を増すことができる。
【００１６】
特に、単一のスロット１２内部に第１、第２位置決め部１２１、１２２を設置する方式により、ＳＤ、ＭＭＣ、ＲＳＭＭＣ、ｍｉｎｉＳＤ形式のメモリカードを同じスロット１２空間を利用してコネクタ１０と接続でき、大幅に全体のコネクタ１０の高さを減らせ、ビルトインする電気装置のマイクロ化の発展に符合するほか、周知のマルチカードアダプタのメモリカード挿入時のスロット選択の不便を解消する。
【図面の簡単な説明】
【００１７】
【図１】本考案のフォーインワン型メモリカードコネクタの外観立体図である。
【図２】本考案のフォーインワン型メモリカードコネクタの分解図である。
【図３】本考案のＳＤメモリカードとコネクタの挿嵌状態を示す外観立体図である。
【図４】本考案のＳＤメモリカードの位置決め状態を示す断面図である。
【図５】本考案のｍｉｎｉＳＤメモリカードとコネクタの挿嵌状態を示す外観立体図である。
【図６】本考案のｍｉｎｉＳＤメモリカードの位置決め状態を示す断面図である。
【図７】本考案のｍｉｎｉＳＤメモリカードと接続端子の接触状態を示す断面図である。
【符号の説明】
【００１８】
１０  コネクタ                        １１  本体
１２  スロット                        １２１  第１位置決め部
１２２  第２位置決め部                １３１  第１接続端子セット
１３２  第２接続端子セット            １４１  第１位置決め弾性片
１４２  第２位置決め弾性片            １４３  湾曲部
１５  連接片                          １６  案内弾性片
２１  ＳＤメモリカード                ２２  ｍｉｎｉＳＤメモリカード
２３  位置決め凹部
【図１】
0003105841.tif 000003
【図２】
0003105841.tif 000004
【図３】
0003105841.tif 000005
【図４】
0003105841.tif 000006
【図５】
0003105841.tif 000007
【図６】
0003105841.tif 000008
【図７】
0003105841.tif 000009